(57)【特許請求の範囲】
【請求項１】
−５０ｐｓ／ｎｍ・ｋｍより小さい使用されるスペクトル帯域の中心波長で波長分散Ｃを有し、負である前記中心波長での波長分散勾配Ｃ’を有し、６００ｎｍより小さい前記中心波長での波長分散勾配に対する波長分散の比Ｃ／Ｃ’を有し、中心から周辺に向かって連続して、可変屈折率プロファイルを有するコアと、次に一定の屈折率のクラッドとを備える、波長分割多重伝送ネットワークのためのシングルモード波長分散補償光ファイバであって、コアの可変屈折率プロファイルが、少なくとも６個の部分（１から６）を備え、該６個の部分の内、中心から周辺に向かって連続して、
最大屈折率がクラッドの屈折率より大きい中心部分（１）であって、中心部分の最大屈折率とクラッドの屈折率との差Ｄｎ１が、１３×１０−３より大きい中心部分（１）と、
最小屈折率がクラッドの屈折率より小さい第１の埋め込まれた部分（２）であって、第１の埋め込まれた部分の最小屈折率とクラッドの屈折率との差Ｄｎ２が、−４×１０−３より小さい第１の埋め込まれた部分（２）と、
最大屈折率がクラッドの屈折率より大きく、かつ中心部分の最大屈折率より小さい第１の環状部分（３）であって、第１の環状部分の最大屈折率とクラッドの屈折率との差Ｄｎ３が、２．５×１０−３より大きい第１の環状部分（３）と、
最小屈折率がクラッドの屈折率より小さい第２の埋め込まれた部分（４）であって、第２の埋め込まれた部分の最小屈折率とクラッドの屈折率との差Ｄｎ４が、−２×１０−３より小さい第２の埋め込まれた部分（４）と、
最大屈折率がクラッドの屈折率より大きく、かつ中心部分の最大屈折率より小さい第２の環状部分（５）であって、第２の環状部分の最大屈折率とクラッドの屈折率との差Ｄｎ５が、２×１０−３より大きい第２の環状部分（５）と、
最小屈折率がクラッドの屈折率より小さい第３の埋め込まれた部分（６）であって、第３の埋め込まれた部分の最小屈折率とクラッドの屈折率との差Ｄｎ６が、−１×１０−３より小さい第３の埋め込まれた部分（６）とであることを特徴とする波長分散補償光ファイバ。
【請求項２】
波長分散補償光ファイバが、標準的なシングルモードライン光ファイバを補償することを目的とし、中心部分が半径ｒ１を有し、第１の埋め込まれた部分が半径ｒ２を有し、波長分散補償光ファイバが、正でありかつ９０ｎｍ・ｋｍ／ｐｓ・μｍ４より小さい第１の品質定数Ｑ１を有し、ここで、
【数１】
0005433126.tif 000004
半径ｒ１およびｒ２は、μｍで表され、波長分散Ｃは、ｐｓ／ｎｍ・ｋｍで表され、屈折率差Ｄｎ１およびＤｎ２は、単位なしで表されるが１０００倍に乗算されることを特徴とする、請求項１に記載の波長分散補償光ファイバ。
【請求項３】
波長分散補償光ファイバが、正でありかつ８０ｎｍ・ｋｍ／ｐｓ・μｍ４より小さい第１の品質定数Ｑ１を有することを特徴とする、請求項２に記載の波長分散補償光ファイバ。
【請求項４】
波長分散補償光ファイバが、正でありかつ７０ｎｍ・ｋｍ／ｐｓ・μｍ４より小さい第１の品質定数Ｑ１を有することを特徴とする、請求項３に記載の波長分散補償光ファイバ。
【請求項５】
波長分散補償光ファイバが、正でありかつ６０ｎｍ・ｋｍ／ｐｓ・μｍ４より小さい第１の品質定数Ｑ１を有することを特徴とする、請求項４に記載の波長分散補償光ファイバ。
【請求項６】
波長分散補償光ファイバが、使用されるスペクトル帯域で非ゼロの分散シフトされたライン光ファイバを補償することを目的とし、中心部分が半径ｒ１を有し、波長分散補償光ファイバが、正でありかつ１００ｋｍ／ｐｓ・μｍ１／２より小さい第２の品質定数Ｑ２を有し、ここで、
【数２】
0005433126.tif 000005
半径ｒ１は、μｍで表され、波長分散Ｃは、ｐｓ／ｎｍ２・ｋｍで表され、屈折率差Ｄｎ１およびＤｎ２は、単位なしで表されるが１０００倍に乗算されることを特徴とする、請求項１に記載の波長分散補償光ファイバ。
【請求項７】
波長分散補償光ファイバが、正でありかつ９０ｋｍ／ｐｓ・μｍ１／２より小さい第２の品質定数Ｑ２を有することを特徴とする、請求項６に記載の波長分散補償光ファイバ。
【請求項８】
波長分散補償光ファイバが、正でありかつ８０ｋｍ／ｐｓ・μｍ１／２より小さい第２の品質定数Ｑ２を有することを特徴とする、請求項７に記載の波長分散補償光ファイバ。
【請求項９】
コアの可変屈折率プロファイルが、中心から周辺に向かって連続して少なくとも８個の部分を備え、該８個の部分の内、第３の環状部分（７）は、最大屈折率がクラッドの屈折率より大きく、かつ中心部分の最大屈折率より小さく、第４の埋め込まれた部分（８）は、最小屈折率がクラッドの屈折率より小さいことを特徴とする、請求項１から８のいずれか一項に記載の波長分散補償光ファイバ。
【請求項１０】
コアの可変屈折率プロファイルが、中心から周辺に向かって連続して少なくとも１０個の部分を備え、該１０個の部分の内、第４の環状部分（９）は、最大屈折率がクラッドの屈折率より大きく、かつ中心部分の最大屈折率より小さく、第５の埋め込まれた部分（１０）は、最小屈折率がクラッドの屈折率より小さいことを特徴とする、請求項９に記載の波長分散補償光ファイバ。
【請求項１１】
波長分散が、−８０ｐｓ／ｎｍ・ｋｍより小さいことを特徴とする、請求項１から１０のいずれか一項に記載の波長分散補償光ファイバ。
【請求項１２】
波長分散が、−１２０ｐｓ／ｎｍ・ｋｍより小さいことを特徴とする、請求項１１に記載の波長分散補償光ファイバ。
【請求項１３】
請求項１から１２のいずれか一項に記載の少なくとも１つの波長分散補償光ファイバを備える波長分散補償モジュール。
【発明の詳細な説明】
【技術分野】
【０００１】
本発明は、波長分割多重伝送ネットワークのための波長分散補償光ファイバの分野に関する。
【背景技術】
【０００２】
従来技術によれば、波長分散、波長分散勾配、および有効表面などの光学特性のグループに関して、分散補償光ファイバは、本質的に波長分散補償光ファイバの負の波長分散のために高い絶対値を確実にするために、その最大屈折率が非常に高い中心部分（ｃｅｎｔｒａｌ  ｓｌｉｃｅ）を有する。
【特許文献１】米国特許出願第２００４／２４７２６９号明細書
【特許文献２】国際公開第０３／０８６９９７号パンフレット
【特許文献３】米国特許第６３１７５５２号明細書
【特許文献４】欧州特許出願公開第１２４６３８０号明細書
【特許文献５】欧州特許出願公開第０９３５１４６号明細書
【特許文献６】国際公開第９８／０４９４１号パンフレット
【発明の開示】
【発明が解決しようとする課題】
【０００３】
一方では波長分散補償光ファイバの光学特性のグループと、他方では本質的にその製造プロセスの困難性および複雑性に関するそのコストとの間の全体的な妥協を改善するために、本発明は、プロセスの困難性とプロセスの複雑性との間のバランスを修正することを提供する。４個から少なくとも６個へ分散補償光ファイバの多数のコア部分を増やすために、ライン光ファイバの波長分散補償光ファイバにコア部分を追加することが、実際に本発明によって提案され、これは、確実に少なくとも２個の部分を追加することによってプロセスの複雑性を増やすが、同様にこのプロセスを容易にする。なぜなら、中央部分の最大ドーピング値をかなり低減することを可能にし、製造をより容易にするからである。波長分散補償光ファイバは、実際により多くの部分を有することができるが、これらは、製造することが全体としてより容易である。中央部分のドーピングレベルの最大値を低減しながら部分の数を増大することによって、有効表面積を増大しながら減衰および偏波モード分散を低減することを可能にし、これは、本発明による波長分散補償光ファイバの光学特性のグループ間のより良好な全体としての妥協に関連する。
【課題を解決するための手段】
【０００４】
本発明によれば、波長分割多重伝送ネットワークのためのシングルモード波長分散補償光ファイバであり、−５０ｐｓ／ｎｍ・ｋｍより小さい使用されるスペクトル帯域の中心波長で波長分散Ｃを有し、負である前記中心波長での波長分散勾配Ｃ’を有し、６００ｎｍより小さい前記中心波長での波長分散勾配に対する波長分散の比Ｃ／Ｃ’を有し、中心から周辺に向かって連続して、可変屈折率プロファイルを有するコアと、次に一定の屈折率のクラッドとを備える波長分散補償光ファイバであって、コアの可変屈折率プロファイルが、少なくとも６個の部分を備え、該６個の部分の内、中心から周辺に向かって連続して、最大屈折率がクラッドの屈折率より大きい中心部分であって、中心部分の最大屈折率とクラッドの屈折率との差Ｄｎ１が、１３×１０−３より大きい中心部分と、最小屈折率がクラッドの屈折率より小さい第１の埋め込まれた部分であって、第１の埋め込まれた部分の最小屈折率とクラッドの屈折率との差Ｄｎ２が、−４×１０−３より小さい第１の埋め込まれた部分と、最大屈折率がクラッドの屈折率より大きく、かつ中心部分の最大屈折率より小さい第１の環状部分であって、第１の環状部分の最大屈折率とクラッドの屈折率との差Ｄｎ３が、２．５×１０−３より大きい第１の環状部分と、最小屈折率がクラッドの屈折率より小さい第２の埋め込まれた部分であって、第２の埋め込まれた部分の最小屈折率とクラッドの屈折率との差Ｄｎ４が、−２×１０−３より小さい第２の埋め込まれた部分と、最大屈折率がクラッドの屈折率より大きく、かつ中心部分の最大屈折率より小さい第２の環状部分であって、第２の環状部分の最大屈折率とクラッドの屈折率との差Ｄｎ５が、２×１０−３より大きい第２の環状部分と、最小屈折率がクラッドの屈折率より小さい第３の埋め込まれた部分であって、第３の埋め込まれた部分の最小屈折率とクラッドの屈折率との差Ｄｎ６が、−１×１０−３より小さい第３の埋め込まれた部分とである波長分散補償光ファイバが提供される。波長分散と波長分散勾配との間の比に関する最大閾値の選択は、波長分割多重光伝送システムにおけるライン光ファイバの効率の良い補償を可能にする。この比は、使用されるスペクトル帯域の中心波長で、５００ｎｍより小さく選択されるのが好ましく、より有利には４００ｎｍより小さい。使用されるスペクトル帯域は、一般的に、１つまたは複数の光信号が、ライン光ファイバによって搬送されかつ波長分散補償光ファイバによって搬送される、スペクトル帯域Ｓ、Ｃ、Ｌ、およびＵの少なくとも１つである。スペクトル帯域Ｓは、約１４６５ｎｍから１５３０ｎｍまでにわたり、スペクトル帯域Ｃは、約１５３０ｎｍから１５７０ｎｍまでにわたり、スペクトル帯域Ｌは、約１５７０ｎｍから１６２５ｎｍまでにわたり、スペクトル帯域Ｕは、約１６２５ｎｍから１６７５ｎｍまでにわたる。
【０００５】
好ましくは、光学特性のグループ間の全体的な妥協におけるさらなる改善のために、初めの６個の部分の１つまたは複数または全ての屈折率の差が、より強調される。中心部分の最大屈折率とクラッドの屈折率との差Ｄｎ１が、有利には１５×１０−３よりも大きくできる。第１の埋め込まれた部分の最小屈折率とクラッドの屈折率との差Ｄｎ２が、有利には−５×１０−３より小さくできる。第１の環状部分の最大屈折率とクラッドの屈折率との差Ｄｎ３が、有利には３×１０−３より大きくできる。第２の埋め込まれた部分の最小屈折率とクラッドの屈折率との差Ｄｎ４が、有利には−３×１０−３より小さくできる。第２の環状部分の最大屈折率とクラッドの屈折率との差Ｄｎ５が、有利には２．５×１０−３より大きくできる。第３の埋め込まれた部分の最小屈折率とクラッドの屈折率との差Ｄｎ６が、有利には−２×１０−３より小さくできる。
【０００６】
波長分散補償光ファイバの光学特性のグループ間の全体的な妥協をさらに改善するために、本発明は、２つの品質定数を提案し、第１の品質定数は、標準のシングルモード光ファイバ（ＳＳＭＦ）を補償することを目的とする波長分散補償光ファイバに適合され、標準のシングルモード光ファイバ（ＳＳＭＦ）は、比較的高く、典型的には２５０ｎｍから４００ｎｍである波長分散と波長分散勾配との間の比に対応し、第２の品質定数は、非ゼロの分散シフトライン光ファイバ（ＮＺ−ＤＳＦ）を補償することを目的とする波長分散補償光ファイバに適合され、非ゼロの分散シフトライン光ファイバ（ＮＺ−ＤＳＦ）は、比較的低く、典型的には２００ｎｍより小さい波長分散と波長分散勾配との間の比に対応する。
【０００７】
第１の好ましい実施形態において、半径ｒ１を有する中心部分および半径ｒ２を有する第１の埋め込まれた部分を有する、標準的なシングルモードライン光ファイバを補償するために、波長分散補償光ファイバが、正でありかつ９０ｎｍ・ｋｍ／ｐｓ・μｍ４より小さい第１の品質定数Ｑ１を有し、ここで、
【数３】
0005433126.tif 000002
半径ｒ１およびｒ２は、μｍで表され、波長分散Ｃは、ｐｓ／ｎｍ・ｋｍで表され、屈折率差Ｄｎ１およびＤｎ２は、単位なしで表されるが１０００倍に乗算される。さらにより有利な実施形態において、第１の品質定数Ｑ１は、正でありかつ８０ｎｍ・ｋｍ／ｐｓ・μｍ４より小さく、さらに正でありかつ７０ｎｍ・ｋｍ／ｐｓ・μｍ４より小さく、さらに正でありかつ６０ｎｍ・ｋｍ／ｐｓ・μｍ４より小さい。
【０００８】
第２の好ましい実施形態において、半径ｒ１を有する中心部分および半径ｒ２を有する第１の埋め込まれた部分を有する、使用されるスペクトル帯域における非ゼロの分散シフトライン光ファイバを補償するために、波長分散補償光ファイバが、正でありかつ１００ｋｍ／ｐｓ・μｍ１／２より小さい第２の品質定数Ｑ２を有し、ここで、
【数４】
0005433126.tif 000003
半径ｒ１は、μｍで表され、波長分散Ｃは、ｐｓ／ｎｍ・ｋｍで表され、波長分散勾配Ｃ’は、ｐｓ／ｎｍ２・ｋｍで表され、屈折率差Ｄｎ１およびＤｎ２は、単位なしで表されるが１０００倍に乗算される。さらに有利な実施形態において、第２の品質定数Ｑ２は、正でありかつ９０ｋｍ／ｐｓ・μｍ１／２より小さく、さらに正でありかつ８０ｋｍ／ｐｓ・μｍ１／２より小さい。
【０００９】
一実施形態において、本発明の波長分散補償光ファイバは、中心から周辺に向かって連続して少なくとも８個の部分を備えるコアの可変屈折率プロファイルを有し、少なくとも８個の部分の内、前述の実施形態の６個の部分、すなわち２つの環状部分および３個の埋め込まれた部分を備え、さらに周辺に向かって、最大屈折率がクラッドの屈折率より大きく、かつ中心部分の最大屈折率より小さい第３の環状部分と、最小屈折率がクラッドの屈折率より小さい第４の埋め込まれた部分とを備える。
【００１０】
第４の実施形態において、本発明の波長分散補償光ファイバは、中心から周辺に向かって連続して少なくとも１０個の部分を備えるコアの可変屈折率プロファイルを有し、少なくとも１０個の部分の内、前述の実施形態の６個の部分、すなわち２つの環状部分および３個の埋め込まれた部分、および直前の実施形態の２つの部分、すなわち第３の環状部分および第４の埋め込まれた部分を備え、さらに周辺に向かって、最大屈折率がクラッドの屈折率より大きく、かつ中心部分の最大屈折率より小さい第４の環状部分と、最小屈折率がクラッドの屈折率より小さい第５の埋め込まれた部分とを備える。
【００１１】
好ましくは、ライン光ファイバの波長分散補償におけるさらに改善された効率のために、本発明の波長分散補償光ファイバは、−８０ｐｓ／ｎｍ・ｋｍより小さい、さらに−１２０ｐｓ／ｎｍ・ｋｍより小さい波長分散を有する。
【００１２】
本発明は、本発明による少なくとも１つの波長分散補償光ファイバを含む波長分散補償モジュールにも関する。第１および第２の品質係数は、特にモジュールに配置されることを意図された分散補償光ファイバ（ＤＣＦ）に十分に適合され、分散補償光ファイバは、むしろ負分散、すなわち典型的に−５０ｐｓ／ｎｍ・ｋｍより小さい分散に対応し、対照的にケーブルに配置されることを意図された分散補償光ファイバ（逆分散ファイバ：ＲＤＦ）は、中間の負の分散、すなわち典型的に−１０ｐｓ／ｎｍ・ｋｍと−５０ｐｓ／ｎｍ・ｋｍとの間の負の分散に対応する。
【００１３】
以下の記載および例として与えられるその添付の図面を読むと、本発明がより良く理解されかつ他の特徴および利点が明らかになろう。
【発明を実施するための最良の形態】
【００１４】
図１は、本発明による波長分散補償光ファイバの１０個の部分を有するプロファイルタイプの一例を概略的に示す。台形形状に関して中央部分と呼ばれる第１の部分は、クラッドの一定の屈折率との最大屈折率差Ｄｎ１および外半径ｒ１ｂを有する。最大屈折率差Ｄｎ１は正である。部分の最大屈折率差は、まず中央部分および環状部分に関して、その部分の最大屈折率とクラッドの一定の屈折率との間の差に対応し、次に埋め込まれた部分に関して、その部分の最小屈折率とクラッドの一定の屈折率との間の差に対応する。好ましくは、半径ゼロと半径ｒ１ａとの間で、屈折率は一定でありかつ最大であり、屈折率は、ｒ１の半径の値に関してクラッドの屈折率に等しくなり、値ｒ１ｂに関して第２の部分の屈折率に達する。矩形形状に関して、中央部分と呼ばれる第１の部分は、クラッドの一定の屈折率との最大屈折率差Ｄｎ１および外半径ｒ１を有し、この場合ｒ１ａ＝ｒ１＝ｒ１ｂである。最大屈折率差Ｄｎ１は、正であり、好ましくは半径ゼロと半径ｒ１との間で、屈折率は一定である。他の全ての環状または埋め込まれた部分と同様に中央部分は、矩形、台形、アルファ形、不規則、または任意の他の形状を含む様々な形状を有することができ、またはこれら各部分が請求項１に対応する規定に従うなら、いくつかの部分が正の屈折率を有しかつ他の部分が負の屈折率を有する、いくつかの部分（それぞれの部分は任意の形状を有する可能性がある）からなることもできる。第１の埋め込まれた部分と呼ばれる第２の部分２は、クラッドの一定の屈折率との最大屈折率差Ｄｎ２および外半径ｒ２を有する。最大屈折率差Ｄｎ２は負である。好ましくは半径ｒ１と半径ｒ２との間で、屈折率は一定である。第１の環状部分と呼ばれる第３の部分３は、クラッドの一定の屈折率との最大屈折率差Ｄｎ３および外半径ｒ３を有する。最大屈折率差Ｄｎ３は正である。好ましくは半径ｒ２と半径ｒ３との間で、屈折率は一定である。第２の埋め込まれた部分と呼ばれる第４の部分４は、クラッドの一定の屈折率との最大屈折率差Ｄｎ４および外半径ｒ４を有する。最大屈折率差Ｄｎ４は負である。好ましくは半径ｒ３と半径ｒ４との間で、屈折率は一定である。第２の環状部分と呼ばれる第５の部分５は、クラッドの一定の屈折率との最大屈折率差Ｄｎ５および外半径ｒ５を有する。最大屈折率差Ｄｎ５は正である。好ましくは半径ｒ４と半径ｒ５との間で、屈折率は一定である。第３の埋め込まれた部分と呼ばれる第６の部分６は、クラッドの一定の屈折率との最大屈折率差Ｄｎ６および外半径ｒ６を有する。最大屈折率差Ｄｎ６は負である。好ましくは半径ｒ５と半径ｒ６との間で、屈折率は一定である。第３の環状部分と呼ばれる第７の部分７は、クラッドの一定の屈折率との最大屈折率差Ｄｎ７および外半径ｒ７を有する。最大屈折率差Ｄｎ７は正である。好ましくは半径ｒ６と半径ｒ７との間で、屈折率は一定である。第４の埋め込まれた部分と呼ばれる第８の部分８は、クラッドの一定の屈折率との最大屈折率差Ｄｎ８および外半径ｒ８を有する。最大屈折率差Ｄｎ８は負である。好ましくは半径ｒ７と半径ｒ８との間で、屈折率は一定である。第４の環状部分と呼ばれる第９の部分９は、クラッドの一定の屈折率との最大屈折率差Ｄｎ９および外半径ｒ９を有する。最大屈折率差Ｄｎ９は正である。好ましくは半径ｒ８と半径ｒ９との間で、屈折率は一定である。第５の埋め込まれた部分と呼ばれる第１０の部分１０は、クラッドの一定の屈折率との最大屈折率差Ｄｎ１０および外半径ｒ１０を有する。最大屈折率差Ｄｎ１０は負である。好ましくは半径ｒ９と半径ｒ１０との間で、屈折率は一定である。一定の屈折率のクラッドｇは、半径ｒ１０を超えて見出される。そのコアがただ８個の部分を有する光ファイバは、Ｄｎ１０＝Ｄｎ９＝０およびｒ１０＝ｒ９＝ｒ８である場合に対応する。そのコアがただ６個の部分を有する光ファイバは、Ｄｎ１０＝Ｄｎ９＝Ｄｎ８＝Ｄｎ７＝０およびｒ１０＝ｒ９＝ｒ８＝ｒ７＝ｒ６である場合に対応する。光ファイバのコアは、７個の部分、９個の部分、１１個の部分、またはより多くの部分を有することが可能であるが、好ましくは偶数の部分を有する。
【００１５】
図２は、標準のシングルモード光ファイバを補償することを目的とする、本発明の波長分散補償光ファイバの６個の部分を有するプロファイルの２つの例に関する半径および屈折率差の値を与える表である。左側の列は、例であるＮ６Ｔ１およびＮ６Ｔ２の名称を含む。次の列は、（単位なしの）１０００倍された屈折率差Ｄｎ１を表す。次の列は、コアの可変屈折率プロファイルの半径ｒ１ａをμｍで表す。次の列は、コアの可変屈折率プロファイルの半径ｒ１をμｍで表す。次の列は、コアの可変屈折率プロファイルの半径ｒ１ｂをμｍで表す。次の列は、（単位なしの）１０００倍された屈折率差Ｄｎ２を表す。次の列は、コアの可変屈折率プロファイルの半径ｒ２をμｍで表す。次の列は、（単位なしの）１０００倍された屈折率差Ｄｎ３を表す。次の列は、コアの可変屈折率プロファイルの半径ｒ３をμｍで表す。次の列は、（単位なしの）１０００倍された屈折率差Ｄｎ４を表す。次の列は、コアの可変屈折率プロファイルの半径ｒ４をμｍで表す。次の列は、（単位なしの）１０００倍された屈折率差Ｄｎ５を表す。次の列は、コアの可変屈折率プロファイルの半径ｒ５をμｍで表す。次の列は、（単位なしの）１０００倍された屈折率差Ｄｎ６を表す。次の列は、コアの可変屈折率プロファイルの半径ｒ６をμｍで表す。
【００１６】
図３は、図２に規定されるような本発明の波長分散補償光ファイバの所定のプロファイル特徴を与える表である。左側の列は、例であるＮ６Ｔ１およびＮ６Ｔ２の名称を含む。考慮される各例に関して、他の列は、考慮される例に対応する光ファイバの特徴を表す。次に列は、１５５０ｎｍの波長でのｐｓ／ｎｍ・ｋｍで表現された波長分散Ｃを与える。使用されるスペクトル帯域は、約１５３０ｎｍから１５７０ｎｍにおよぶＣスペクトル帯域である。次の列は、１５５０ｎｍの波長でのｎｍで表現された波長分散Ｃと波長分散勾配Ｃ’との間の比を与える。次の列は、波長１５５０ｎｍでのμｍで表された、Ｐａｔｅｒｍａｎｎ  ＩＩの規定にしたがったＷ０２モードの半径を与える。次の列は、波長１５５０ｎｍでのμｍ２で表された、有効表面積Ｓｅｆｆを与える。次の列は、１０ｍｍの半径を有するスリーブの周りに巻かれたときに、１６２５ｎｍの波長でのｄＢ／ｍで表現された最大曲げ損失閾値を与える。次の列は、ｎｍ・ｋｍ／ｐｓ・μｍ４で表される第１の品質係数Ｑ１の値を与える。
【００１７】
図４は、標準のシングルモード光ファイバを補償することを意図した本発明の波長分散補償光ファイバの８個の部分を有するプロファイルの２つの例に関する半径および屈折率差の値を与える表である。図４の記載は、可変コアプロファイルに関する２個の追加の部分および異なる例の数を含むことを除いて、図２の記載に類似する。
【００１８】
図５は、図４に規定されるような本発明による波長分散補償光ファイバの所定のプロファイル特徴を与える表である。図５の記載は、図３の記載に類似する。
【００１９】
図６は、標準のシングルモード光ファイバを補償することを意図した本発明の波長分散補償光ファイバの１０個の部分を有するプロファイルの例に関する半径および屈折率差の値を与える表である。図６の記載は、可変コアプロファイルに関する４個の追加の部分および異なる例の数を含むことを除いて、図２の記載に類似する。
【００２０】
図７は、図６に規定されるような本発明による波長分散補償光ファイバの所定のプロファイル特徴を与える表である。図７の記載は、図３の記載に類似する。
【００２１】
図８は、使用されるスペクトル帯域において非ゼロのシフトされた分散光ファイバを補償することを目的とする、本発明の波長分散補償光ファイバの６個の部分を有するプロファイルの例に関する半径および屈折率差の値を与える表である。左側の列は、例であるＭ６Ｔ１の名称を含む。次の列は、（単位なしの）１０００倍された屈折率差Ｄｎ１を表す。次の列は、コアの可変屈折率プロファイルの半径ｒ１ａをμｍで表す。次の列は、コアの可変屈折率プロファイルの半径ｒ１ｂをμｍで表す。次の列は、（単位なしの）１０００倍された屈折率差Ｄｎ２を表す。次の列は、コアの可変屈折率プロファイルの半径ｒ２をμｍで表す。次の列は、（単位なしの）１０００倍された屈折率差Ｄｎ３を表す。次の列は、コアの可変屈折率プロファイルの半径ｒ３をμｍで表す。次の列は、（単位なしの）１０００倍された屈折率差Ｄｎ４を表す。次の列は、コアの可変屈折率プロファイルの半径ｒ４をμｍで表す。次の列は、（単位なしの）１０００倍された屈折率差Ｄｎ５を表す。次の列は、コアの可変屈折率プロファイルの半径ｒ５をμｍで表す。次の列は、（単位なしの）１０００倍された屈折率差Ｄｎ６を表す。次の列は、コアの可変屈折率プロファイルの半径ｒ６をμｍで表す。
【００２２】
図９は、図８に規定されるような本発明の波長分散補償光ファイバの所定のプロファイル特徴を与える表である。左側の列は、例であるＭ６Ｔ１の名称を含む。考慮される各例に関して、他の列は、考慮される例に対応する光ファイバの特徴を表す。次に列は、値１５５０ｎｍの波長でのｐｓ／ｎｍ・ｋｍで表現された波長分散Ｃを与える。使用されるスペクトル帯域は、約１５３０ｎｍから１５７０ｎｍにおよぶＣスペクトル帯域である。次の列は、１５５０ｎｍの波長でのｎｍで表現された波長分散Ｃと波長分散勾配Ｃ’との間の比を与える。次の列は、１５５０ｎｍの波長でのμｍで表された、Ｐａｔｅｒｍａｎｎ  ＩＩの規定にしたがったＷ０２モードの半径を与える。次の列は、１５５０ｎｍの波長でのμｍ２で表された、有効表面積Ｓｅｆｆを与える。次の列は、１０ｍｍの半径を有するスリーブの周りに巻かれたときに、１６２５ｎｍの波長でのｄＢ／ｍで表現された最大曲げ損失閾値を与える。次の列は、ｋｍ／ｐｓ・μｍ１／２で表される第２の品質係数Ｑ２の値を与える。
【００２３】
図１０は、使用されるスペクトル帯域において非ゼロのシフトされた分散光ファイバを補償することを目的とする、本発明の波長分散補償光ファイバの８個の部分を有するプロファイルの２つの例に関する半径および屈折率差の値を与える表である。図１０の記載は、コアの可変屈折率プロファイルに関する２個の追加の部分および異なる例の数を含むことを除いて、図８の記載に類似する。
【００２４】
図１１は、図１０に規定されるような本発明による波長分散補償光ファイバの所定のプロファイル特徴を与える表である。図１１の記載は、図９の記載に類似する。
【００２５】
図１２は、使用されるスペクトル帯域において非ゼロのシフトされた分散光ファイバを補償することを目的とする、本発明の波長分散補償光ファイバの１０個の部分を有するプロファイルの例に関する半径および屈折率差の値を与える表である。図１２の記載は、コアの可変屈折率プロファイルに関する４個の追加の部分および異なる例の数を含むことを除いて、図８の記載に類似する。
【００２６】
図１３は、図１２に規定されるような本発明による波長分散補償光ファイバの所定のプロファイル特徴を与える表である。図１３の記載は、図９の記載に類似する。
【図面の簡単な説明】
【００２７】
【図１】本発明による波長分散補償光ファイバの１０個の部分を有するプロファイルタイプの例を示す図である。
【図２】標準のシングルモード光ファイバを補償することを目的とする、本発明による波長分散補償光ファイバの６個の部分を有するプロファイルの２つの例に関する半径および屈折率差の値を与える表である。
【図３】図２に規定されるような本発明による波長分散補償光ファイバの所定のプロファイル特徴を与える表である。
【図４】標準のシングルモード光ファイバを補償することを意図した、本発明による波長分散補償光ファイバの８個の部分を有するプロファイルの２つの例に関する半径および屈折率差の値を与える表である。
【図５】図４に規定されるような本発明による波長分散補償光ファイバの所定のプロファイル特徴を与える表である。
【図６】標準のシングルモード光ファイバを補償することを意図した、本発明の波長分散補償光ファイバの１０個の部分を有するプロファイルの例に関する半径および屈折率差の値を与える表である。
【図７】図６に規定されるような本発明による波長分散補償光ファイバの所定のプロファイル特徴を与える表である。
【図８】使用されるスペクトル帯域において非ゼロのシフトされた分散光ファイバを補償することを目的とする、本発明の波長分散補償光ファイバの６個の部分を有するプロファイルの例に関する半径および屈折率差の値を与える表である。
【図９】図８に規定されるような本発明の波長分散補償光ファイバの所定のプロファイル特徴を与える表である。
【図１０】使用されるスペクトル帯域において非ゼロのシフトされた分散光ファイバを補償することを目的とする、本発明による波長分散補償光ファイバの８個の部分を有するプロファイルの２つの例の半径および屈折率差の値を与える表である。
【図１１】図１０に規定されるような本発明による波長分散補償光ファイバの所定のプロファイル特徴を与える表である。
【図１２】使用されるスペクトル帯域において非ゼロのシフトされた分散光ファイバを補償することを目的とする、本発明による波長分散補償光ファイバの１０個の部分を有するプロファイルの例に関する半径および屈折率差の値を与える表である。
【図１３】図１２に規定されるような本発明による波長分散補償光ファイバの所定のプロファイル特徴を与える表である。
【符号の説明】
【００２８】
１  中心部分
２、４、８、１０  部分
３、５、７、９  環状部分
【図１】
0005433126.tif 000006
【図２】
0005433126.tif 000007
【図３】
0005433126.tif 000008
【図４】
0005433126.tif 000009
【図５】
0005433126.tif 000010
【図６】
0005433126.tif 000011
【図７】
0005433126.tif 000012
【図８】
0005433126.tif 000013
【図９】
0005433126.tif 000014
【図１０】
0005433126.tif 000015
【図１１】
0005433126.tif 000016
【図１２】
0005433126.tif 000017
【図１３】
0005433126.tif 000018